(57)【特許請求の範囲】
【請求項１】
正面にスピーカを配置し、該スピーカに相対しミキシングオペレータの作業するミキサ卓を挟んだ後方にガラスサッシその他の反射性の壁面で仕切られたラックルームを配置して、吸音トラップ天井とした副調整室において、１次反射音を上方へ向けるように前記仕切り面を前記ラックルーム側に一定角度傾斜させたことを特徴とする音場改善構造の副調整室。
【請求項２】
前記仕切り面をガラス引き戸とし、該ガラス引き戸の傾斜する一定角度を５°〜２０°としたことを特徴とする請求項１記載の音場改善構造の副調整室。
【発明の詳細な説明】
【０００１】
【発明の属する技術分野】
本発明は、正面にスピーカを配置し、ミキシングオペレータの作業するミキサ卓を挟んだ後方にガラスサッシその他の反射性の壁面でで仕切られたラックルームを配置して、吸音トラップ天井とした音場改善構造の副調整室に関する。
【０００２】
【従来の技術及び発明が解決しようとする課題】
テレビスタジオの副調整室は、例えばその一般的なレイアウトを図１（Ｂ）に示しているように、主要な音源として前面にスピーカ１が設置され、このスピーカ１に相対して、ミキシング、ＳＥなどの作業を行うミキサ卓２やＳＥ卓３などの受聴者卓の位置が固定されている。この副調整室の音声卓エリアの特徴は、主要な音源が前面に設置されるメインスピーカであり、受聴者位置、つまりミキサ卓２やＳＥ卓３の位置が固定される。
【０００３】
この副調整室において、ミキシング、ＳＥなどの作業を行う音声卓エリアでは良好な音場を実現することが求められる。この音声卓エリアは、正面のスピーカ１からの直接音に加えて、周辺壁からの反射音が到来する複雑な音場となっている。従って、音声卓エリアにおける良好な音場を実現するには、特に、音質を劣化させる１次反射音を制御し、受聴者位置に到来させないようにすることが課題となる。
【０００４】
しかし、一般に、音声卓エリアの後方には、図１に示すようにスピーカ１に相対して音響機器を納めるラックルーム５が位置するレイアウトとなっていて、しかもラックルーム５は、メンテナンスの都合上、その仕切り壁にガラス引き戸４が用いられる。このガラス引き戸４は、音の反射性壁面であり、音声卓エリアにおいて、音源（メインスピーカ）、受聴者、反射性壁面がほぼ同一直線上に位置することになるため、音声卓エリアでの音質の劣化が十分改善することができなかった。
【０００５】
これまでのラックルーム５のガラス引き戸４は、図１（Ｂ）に示すように床面に対して垂直であった。このため、音楽やスピーチなどを正面のスピーカ１から再生した場合、ミキサ卓２の位置やＳＥ卓３の位置では、ガラス引き戸４からの１次反射音が到来して、位相干渉によりスペクトルが変化するなどの音質の劣化を招いた。つまり、この音源−受聴者−反射性壁面の位置関係に起因すると考えられる。
【０００６】
【課題を解決するための手段】
本発明は、上記課題を解決するものであって、１次反射音による音声卓エリアでの音質の劣化を防止し、良好な音場を実現するものである。
【０００７】
そのために本発明は、正面にスピーカを配置し、該スピーカに相対しミキシングオペレータの作業するミキサ卓を挟んだ後方にガラスサッシその他の反射性の壁面で仕切られたラックルームを配置して、吸音トラップ天井とした副調整室において、１次反射音を上方へ向けるように前記仕切り面を前記ラックルーム側に一定角度傾斜させたことを特徴とし、前記仕切り面をガラス引き戸とし、該ガラス引き戸の傾斜する一定角度を５°〜２０°としたことを特徴とするものである。
【０００８】
【発明の実施の形態】
以下、本発明の実施の形態を図面を参照しつつ説明する。図１は本発明に係る音場改善構造の副調整室の実施の形態を示す図、図２はスタジオと副調整室との位置関係を説明するための平面図であり、１はスピーカ、２はミキサ卓、３はＳＥ卓、４はガラス引き戸、５はクロスパネル、６は吸音板、７はラックルーム、８はサラウンドスピーカ、１１は副調整室、１２はラックルーム、１３はスタジオ上部吹き抜け、１４はスタジオを示す。
【０００９】
図１において、副調整室の音声卓エリアは、正面のスピーカ１にミキサ卓２やＳＥ卓３などの受聴者卓が相対して配置され、それらの背後にラックルーム７が配置されて、ガラス引き戸４により仕切られている。そして、スピーカ１において、Ｌ（左）、Ｒ（右）のスピーカは、それらの距離を３ｍとし、調整卓との干渉を避けるため耳とほぼ同じ高さとなる１．４ｍとして、センタースピーカは、メインスピーカの高さと同じ高さに設置して小型のスピーカを用いている。サラウンドスピーカ８は、天井に設置調整できるように支持し、スピーカ１と同じ距離で開き角度は１１０°程度にしている。
【００１０】
スピーカ周りとモニターＴＶ周りは、固い反射性で、音声卓周りの壁や天井は、吸音トラップ＋クロスパネル５、吸音板６等を使った吸音性としている。さらに、モニター棚の下地は、金属鳴りを防止するため全て木軸で組み、その周りは、モニターＴＶの開口が幾つもあることからアルミパネルで塞ぎ、板振動しないよう鉛でダンピングしている。モニター棚の背面は、プラスターボード２枚張りで構成し、スピーカ周りや音声卓の一部は、レンガを貼っている。
【００１１】
テレビスタジオと副調整室との位置関係は、例えば図２（Ｂ）に示すような吹き抜けのテレビスタジオ１４に対し，そのテレビスタジオ１４より１階上に図２（Ａ）に示すようにスタジオ上部吹き抜け１３に向き合うように副調整室１１がある。この副調整室１１において、ラックルーム１２は、スタジオ上部吹き抜け１３と反対側に位置し、このラックルーム１２との仕切りは、メンテナンスの都合上、一般にガラス引き戸が用いられる。
【００１２】
この副調整室の音声卓エリアにおいて、図１に示すように正面のスピーカ１の後方に相対してラックルーム７が位置するので、その間を仕切るガラスサッシのガラス引き戸４からミキサ卓２への跳ね返り音を低減させる必要がある。
【００１３】
本発明では、音声卓エリアに１次反射音が到来しないようにするため、つまりガラス引き戸４からミキサ卓２への跳ね返り音を低減させるようにするため、図１（Ａ）に示すようにガラス引き戸４を一定角度ラックルーム７側に一定角度、８°傾斜させるものである。このことにより、１次反射音を吸音トラップ天井に吸音させるか、ＳＥ卓３で阻むようにしている。このようにした結果、音声卓エリアの特徴や使い勝手を損なうことなく、ガラス引き戸からの有害な１次反射音を抑制して音場を改善することができた。
【００１４】
なお、本発明は、上記実施の形態に限定されるものではなく、種々の変形が可能である。例えば上記実施の形態では、ラックルーム７との仕切りがガラスサッシのガラス引き戸４であったが、他の反射性の壁面であっても同様であることはいうまでもない。また、ガラス引き戸の傾斜角を８°としたが、５°〜２０°の範囲でその効果は顕著であることが確認できた。
【００１５】
【発明の効果】
以上の説明から明らかなように、本発明によれば、正面にスピーカを配置し、該スピーカに相対しミキシングオペレータの作業するミキサ卓を挟んだ後方にガラスサッシその他の反射性の壁面で仕切られたラックルームを配置して、吸音トラップ天井とした副調整室において、１次反射音を上方へ向けるように前記仕切り面を前記ラックルーム側に一定角度傾斜させたので、メンテナンスの都合上、ラックルームとの仕切りに反射性の壁面となるガラス引き戸を用いなければならない場合であっても、１次反射音による音質の劣化を防止することができ、音声卓エリアでの良好な音場が実現できた。
【図面の簡単な説明】
【図１】  本発明に係る音場改善構造の副調整室の実施の形態を示す図である。
【図２】  テレビスタジオと副調整室との位置関係を説明するための平面図である。
【符号の説明】
１…スピーカ、２…ミキサ卓、３…ＳＥ卓、４…ガラス引き戸、５…クロスパネル、６…吸音板、７…ラックルーム、８…サラウンドスピーカ、１１…副調整室、１２…ラックルーム、１３…スタジオ上部吹き抜け、１４…スタジオ
【図１】
0004362800.tif 000002
【図２】
0004362800.tif 000003